(57)【要約】【課題】  両電気音響変換器から出た音が互いに干渉することのない表裏一体型の電気音響変換器の提供。【解決手段】  スピーカ１は本発明の実施の形態である電気音響変換器であり、第１の電気音響変換器としてのスピーカＡ１ａと第２の電気音響変換器としてのスピーカＢ１ｂとが表裏一体に複合したものである。スピーカＡ１ａのボイスコイルＡ１０及びスピーカＢ１ｂのボイスコイルＢ２０は共に強磁性を付加されているので、ボイスコイルＡ１０及びボイスコイルＢ２０はスピーカＡ１ａ及びスピーカＢ１ｂの磁気回路の磁力により磁気回路に吸引されており、それぞれが固定された振動板Ａ８及び振動板Ｂ９は現状位置を保持しようとする。従ってスピーカＢ１ｂを駆動したときに、スピーカＡ１ａの振動板Ａ８を動かそうとしても動かないのでスピーカＡ１ａの放音孔からは筐体７１外部へ音が出ない。【選択図】      図１
2006311155.tif 000002
【特許請求の範囲】
【請求項１】
少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルとから成る第２の電気音響変換器を複合した電気音響変換器において、第１のボイスコイル及び第２のボイスコイルともに強磁性が付与されているが、前記ボイスコイル又は前記ボイスコイル近傍の部材の少なくとも一方に強磁性を付与したことを特徴とする電気音響変換器。
【請求項２】
前記ボイスコイルはコイルワイヤの導線の内部あるいは外周に磁性体層を設けることによって強磁性を付与したことを特徴とする請求項１記載の電気音響変換器。
【請求項３】
前記ボイスコイルはコイルワイヤの融着層及び絶縁層の少なくとも一方に磁性粉を含有させることによって強磁性を付与したことを特徴とする請求項１記載の電気音響変換器。
【請求項４】
前記ボイスコイルと前記振動板との接着剤に磁性粉を含有させることによって前記ボイスコイルに強磁性を付与したことを特徴とする請求項１記載の電気音響変換器。
【請求項５】
巻き線後の前記ボイスコイルにメッキ処理を施すことによって強磁性を付与したことを特徴とする請求項１記載の電気音響変換器。
【発明の詳細な説明】
【技術分野】
【０００１】
本発明は携帯電話等の移動体通信機に組み込まれ、電気信号を音響に変換して、あるいは着信音を生じ、あるいは伝送される音声を再生する電気音響変換器に関する。
【背景技術】
【０００２】
従来、携帯電話等は、ブザー音やメロディ音を発して使用者に着信を知らせるスピーカ機能と、音声を伝えるレシーバ機能を持つ。スピーカは楽音の再生が主なので広帯域、例えば２０Ｈｚ〜２０ｋＨｚであり、レシーバは音声の再生なので挟帯域、例えば３００Ｈｚ〜３．４ｋＨｚであるという違いがあるが、機器によっては小型化のために、スピーカとレシーバとをそれぞれ設けることをせず、それらを複合させて１個の電気音響変換器にパッケージしたものがある（例えば、特許文献１参照。）。
【０００３】
図８はこのような従来の電気音響変換器を組み込んだ携帯端末装置を示す断面図である。図８において、５１は一方の電気音響変換器であるスピーカＡ５１ａと他方の電気音響変換器であるスピーカＢ５１ｂとが表裏一体に複合した電気音響変換器であるスピーカを示している。２はスピーカ５１のフレームを示しており、フレーム２には横穴としてスピーカＡ５１ａの後方放音孔２ａ及びスピーカＢ５１ｂの後方放音孔２ｂが設けてある。３はスピーカ５１のフランジ部３ａ付きの皿形のポールピースを示している。４はポールピース３の中心に固定されたスピーカＡ５１ａの円盤状の磁石Ａを示しており、５はポールピース３のフランジ部３ａに固定されたスピーカＢ５１ｂの環状の磁石Ｂを示している。６は磁石Ａ４の上に固定された円盤状のトッププレートＡを示しており、７は磁石Ｂ５の上に固定されたトッププレートＢを示している。
【０００４】
８はフレーム２の周縁部に固定されたスピーカＡ５１ａの振動板Ａを示しており、９は同じくスピーカＢ５１ｂの振動板Ｂを示している。６０はスピーカＡ５１ａのボイスコイルＡを示しており、６１は同じくスピーカＢ５１ｂのボイスコイルＢを示している。図９はこれらのボイスコイルを構成しているコイル巻き線を示す断面図である。図９において、２００は一般的な自己融着ワイヤを示しており、１０１は純銅又は銅に若干の銀などの不純物を含有させた導線を示している。１０２はポリウレタン等から成る絶縁層を、１０３は熱やアルコールにより溶融する融着層を示している。ボイスコイルＡ６０及びボイスコイルＢ６１は自己融着ワイヤ２００を整列巻きして融着層の樹脂で断面略長方形に固めた空心のコイルである。１２は振動板Ａ８の周縁部を挟んでフレーム２に固定されて放音孔１２ａを持つスピーカＡ５１ａのプロテクタＡを示しており、１３は放音孔１３ａを持つスピーカＢ５１ｂのプロテクタＢを示している。１４は振動板Ａ８の前方の空間であるスピーカＡ５１ａの前気室を示しており、１５は振動板Ａ８の後方の空間であるスピーカＡ５１ａの後気室を示している。１６は振動板Ｂ５１ｂの前方の空間であるスピーカＢ５１ｂの前気室を示しており、１７は振動板Ｂ５１ｂの後方の空間であるスピーカＢ５１ｂの後気室を示している。
【０００５】
７０はスピーカ５１を組み込んだ携帯端末装置を示している。７１は携帯端末装置７０の筐体を示している。筐体７１は筐体Ａ７２と筐体Ｂ７３とを接合して形成されている。７４は筐体７１の内面にスピーカ５１を保持している環状のクッションを示している。７５はクッション７４の内側の空間であるスピーカＡ５１ａの音孔部空間１を示しており、７６は同じくスピーカＢ５１ｂの音孔部空間２を示している。７７はクッション７４の外側の内部空間を示している。音孔部空間１，７５は筐体Ａ７２に設けられた複数の放音孔１，７１ａを通じて外部へ通じており、音孔部空間２，７６は筐体Ｂ７３に設けられた複数の放音孔２，７１ｂを通じて外部へ通じている。
【０００６】
スピーカＡ５１ａを駆動したときには前気室１４から出た音はプロテクタＡ１２の放音孔１２ａから音孔部空間１，７５を経由して放音孔１，７１ａから筐体７１の外へ出る。また、スピーカＢ５１ｂを駆動したときには前気室１６から出た音はプロテクタＢ１３の放音孔１３ａから音孔部空間２，７６を経由して放音孔２，７１ｂから筐体７１外へ出ることになる。
【特許文献１】特開２００２−３３５５９７号公報（図１）
【発明の開示】
【発明が解決しようとする課題】
【０００７】
しかし、スピーカＡ５１ａを駆動したときには後気室１５から後方放音孔２ａを通って筐体７１の内部空間７７に出る音があり、この音は後方放音孔２ｂからスピーカＢ５１ｂの中へ入って、振動板Ｂ９を動かして発音させることになるから、この音は放音孔１３ａから音孔部空間２，７６を経由して放音孔７１ｂから筐体７１外へ出ることになる。同様にスピーカＢ５１ｂを駆動したときには後方放音孔２ｂから出た音が後方放音孔２ａから入ってスピーカＡ５１ａの振動板Ａ８を動かして発音させることになるから、この音は前気室１４から音孔部空間１，７５を経由して筐体７１外へ出ることになる。このような作用があるので、一方のスピーカを駆動した際に内部空間及び筐体外部において音が干渉し、互いの音響特性に悪影響を与えるという問題がある。
【０００８】
本発明は、このような従来の問題を解決するためになされたものであり、その目的は、両電気音響変換器から出た音が互いに干渉することのない表裏一体型の電気音響変換器を提供することである。
【課題を解決するための手段】
【０００９】
前述した目的を達成するための本発明の手段は、少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルとから成る第２の電気音響変換器を複合した電気音響変換器において、第１のボイスコイル及び第２のボイスコイルともに強磁性が付与されているが、前記ボイスコイル又は前記ボイスコイル近傍の部材の少なくとも一方に強磁性を付与したことを特徴とする。
【００１０】
また、前記ボイスコイルはコイルワイヤの導線の内部あるいは外周に磁性体層を設けることによって強磁性を付与したことを特徴とする。
【００１１】
また、前記ボイスコイルはコイルワイヤの融着層及び絶縁層の少なくとも一方に磁性粉を含有させることによって強磁性を付与したことを特徴とする。
【００１２】
また、前記ボイスコイルと前記振動板との接着剤に磁性粉を含有させることによって前記ボイスコイルに強磁性を付与したことを特徴とする。
【００１３】
また、巻き線後の前記ボイスコイルにメッキ処理を施すことによって強磁性を付与したことを特徴とする。
【発明の効果】
【００１４】
本発明によれば、少なくともフレームと、このフレームに固定されたポールピースと、このポールピースに固定された第１の磁石と、この第１の磁石に固定された第１のトッププレートと、前記フレームに固定された第１の振動板と、この第１の振動板に固定された第１のボイスコイルとから成る第１の電気音響変換器並びに、前記ポールピースと、このポールピースに固定された第２の磁石と、この第２の磁石に固定された第２のトッププレートと、前記フレームに固定された第２の振動板と、この第２の振動板に固定された第２のボイスコイルとから成る第２の電気音響変換器を複合した表裏一体型の電気音響変換器において、第１のボイスコイル及び第２のボイスコイルともに強磁性が付与されているが、前記ボイスコイル又は前記ボイスコイル近傍の部材の少なくとも一方に強磁性を付与したので、電気音響変換器において、両電気音響変換器から出た音が互いに干渉しないので両電気音響変換器の音響特性を改善することができた。
【発明を実施するための最良の形態】
【００１５】
以下、本発明の電気音響変換器について図面を参照して詳細に説明する。図１は本発明の実施の形態である電気音響変換器を示す断面図である。まず、本発明の実施の形態である電気音響変換器の構成について説明する。図１において、１は第１の電気音響変換器としてのスピーカＡ１ａと第２の電気音響変換器としてのスピーカＢ１ｂとが表裏一体に複合した本発明の実施の形態である電気音響変換器としてのスピーカを示している。１０はスピーカＡ１ａのボイスコイルＡを、２０はスピーカＢ１ｂのボイスコイルＢを示しており、共に強磁性を付与されたボイスコイルである。３０は従来の携帯端末装置７０の筐体と同様な筐体７１にスピーカ１を収納した携帯端末装置を示している。その他の構成要素は従来のスピーカ５１及び携帯端末装置７０と同様であるから同じ構成要素には同じ符号と名称とを付与して詳細な説明を省略する。
【００１６】
次に、強磁性を付与されたボイスコイルの構成について説明する。図２は本発明の第１の実施の形態であるボイスコイルを示す断面図、図３は本発明の第２の実施の形態であるボイスコイルを示す断面図、図４は本発明の第３の実施の形態であるボイスコイルを示す断面図、図５は本発明の第４の実施の形態であるボイスコイルを示す断面図、図６は本発明の第５の実施の形態であるボイスコイルを示す断面図、図７は本発明の第６の実施の形態であるボイスコイルを示す断面図である。
【００１７】
図２において、１１は本発明の第１の実施の形態であるボイスコイルＡを示しており、１００はボイスコイルＡ１１を構成する自己融着コイルワイヤの断面を示している。１０４はＮｉ、フェライト等から成る磁性体層を示している。コイルワイヤ１００は、例えばＮｉワイヤに銅メッキを施すことによって従来のコイルワイヤ２００の導線１０１の中に磁性体層１０４を封入して強磁性を付与したものである。その他の構成は従来のコイルワイヤ２００と同様であるから、同じ構成要素には同じ符号と名称とを付与して詳細な説明を省略する。
【００１８】
図３において、１２は本発明の第２の実施の形態であるボイスコイルＡを示しており、１１０はボイスコイルＡ１２を構成する自己融着コイルワイヤの断面を示している。コイルワイヤ１１０は、例えば銅線にＮｉメッキを施すことによって従来のコイルワイヤ２００の導線１０１の周囲に磁性体層１０４を形成して強磁性を付与したものである。その他の構成は従来のコイルワイヤ２００と同様であるから、同じ構成要素には同じ符号と名称とを付与して詳細な説明を省略する。
【００１９】
図４において、１３は本発明の第３の実施の形態であるボイスコイルＡを示しており、１２０はボイスコイルＡ１３を構成する自己融着コイルワイヤの断面を示している。コイルワイヤ１２０は第１の実施の形態であるコイルワイヤ１００の融着層１０３の中にＮｉ、フェライト等の磁性粉を含有させて磁性粉入り融着層１２３として強磁性を付与したものである。その他の構成はコイルワイヤ１００と同様であるから、同じ構成要素には同じ符号と名称とを付与して詳細な説明を省略する。
【００２０】
図５において、１４は本発明の第４の実施の形態であるボイスコイルＡを示しており、１３０はボイスコイルＡ１４を構成する自己融着コイルワイヤの断面を示している。コイルワイヤ１３０は第２の実施の形態であるコイルワイヤ１１０の絶縁層１０２の中にＮｉ、フェライト等の磁性粉を含有させて磁性粉入りの絶縁層１３２として強磁性を付与したものである。コイルワイヤ１１０の絶縁層１０２と融着層１０３との双方に磁性粉を含有させて強磁性を付与してもよいことは勿論である。その他の構成は第２の実施の形態のコイルワイヤ１１０と同様であるから、同じ構成要素には同じ符号と名称とを付与して詳細な説明を省略する。
【００２１】
図６において、１５は本発明の第５の実施の形態であるボイスコイルＡを示しており、１４１はフェライト等の磁性粉を含有させた接着剤を示している。ボイスコイルＡ１５はボイスコイルＡ６０の近傍である振動板Ａ８に形成された凹部８ａにボイスコイルＡ６０を落とし込んで接着剤１４１で固定して強磁性を付与したものである。
【００２２】
図７において、１６は本発明の第６の実施の形態であるボイスコイルＡを示しており、１０５は巻き線後のボイスコイルＡ６０の外周にＮｉメッキ等のメッキ処理を施して形成したメッキ処理層を示している。ボイスコイルＡ１６はメッキ処理層１０５によって強磁性を付与したものである。
【００２３】
以上説明したボイスコイルの構成はボイスコイルＢ２０においても同様である。以上説明したように、ボイスコイルに強磁性を付与するにはコイルワイヤ自体に強磁性を付与してもよいし、ボイスコイルの接着剤のようなボイスコイル近傍の部材に強磁性を付与してもよく、また、双方に強磁性を付与してもよいことは勿論である。即ちボイスコイル又はボイスコイル近傍の部材の少なくとも一方に強磁性を付与してあればよい。
【００２４】
次に、本発明の実施の形態である電気音響変換器の効果について説明する。図１において、スピーカＡ１ａのボイスコイルＡ１０及びスピーカＢ１ｂのボイスコイルＢ２０には強磁性が付与されている。このため、スピーカＡ１ａの磁気回路の磁力によりボイスコイルＡ１０は磁気回路に吸引されている。携帯端末装置３０に搭載されたスピーカ１のスピーカＢ１ｂを駆動した場合に、振動板Ｂ９から発した音は後方放音孔２ｂから後方放音孔２ａを経てスピーカＡ１ａの振動板Ａ８を振動させようとする。しかし、強磁性を付与されたボイスコイルＡ１０は吸引力によりボイスコイルＡ１０が固着された振動板Ａ８とともに現状の位置を保持しようとする。そのため、スピーカＡ１ａの放音孔７１ａからは筐体７１外部へ音が出ない。上記効果はスピーカＢ１ｂのボイスコイルＢ２０の場合にも同様である。これによって、スピーカＡ１ａ及びスピーカＢ１ｂから出た音が互いに干渉することがない。スピーカＡ１ａのボイスコイルＡ１０及びスピーカＢ１ｂのボイスコイルＢ２０において、強磁性を付与するのは少なくとも一方のボイスコイル又はボイスコイルの近傍の部材であればよい。
【産業上の利用可能性】
【００２５】
本発明の電気音響変換器は、携帯電話、ノート型ＰＣ、ＰＤＡ等に広く適用できるものである。
【図面の簡単な説明】
【００２６】
【図１】本発明の実施の形態である電気音響変換器を示す断面図である。
【図２】本発明の第１の実施の形態であるボイスコイルを示す断面図である。
【図３】本発明の第２の実施の形態であるボイスコイルを示す断面図である。
【図４】本発明の第３の実施の形態であるボイスコイルを示す断面図である。
【図５】本発明の第４の実施の形態であるボイスコイルを示す断面図である。
【図６】本発明の第５の実施の形態であるボイスコイルを示す断面図である。
【図７】本発明の第６の実施の形態であるボイスコイルを示す断面図である。
【図８】従来の電気音響変換器を示す断面図である。
【図９】従来のボイスコイルを示す断面図である。
【符号の説明】
【００２７】
１  スピーカ
１ａ  スピーカＡ
１ｂ  スピーカＢ
２  フレーム
３  ポールピース
４  磁石Ａ
５  磁石Ｂ
６  トッププレートＡ
７  トッププレートＢ
８  振動板Ａ
９  振動板Ｂ
１０、１１、１２、１３、１４、１５、１６  ボイスコイルＡ
２０  ボイスコイルＢ
１００、１１０、１２０、１３０  コイルワイヤ
１０１  導線
１０２  絶縁層
１０３  融着層
１０４  磁性体層
１０５  メッキ処理層
１２３  磁性粉入り融着層
１３２  磁性粉入り絶縁層
１４１  磁性粉入り接着剤
【図１】
2006311155.tif 000003
【図２】
2006311155.tif 000004
【図３】
2006311155.tif 000005
【図４】
2006311155.tif 000006
【図５】
2006311155.tif 000007
【図６】
2006311155.tif 000008
【図７】
2006311155.tif 000009
【図８】
2006311155.tif 000010
【図９】
2006311155.tif 000011